(57)【要約】【課題】  端子部を枠に圧入手段によって簡便に固定することができ、また、応力−歪特性が良好で、更に、端子部の一部が破損しても、破損した一部のみの修繕が容易な両面接続用コネクタを提供する。【解決手段】  端子部２は、柔軟性を有する絶縁材料２ａと、絶縁材料の表面に形成されている複数の導電性膜２ｂとから構成される。枠１は、絶縁材料から製造され、端子部が貫通して収納される収納穴１ａを有し、各導電性膜は、それぞれ収納穴から突出する。片面粘着テープ３，４は、枠の対向する両表面と、端子部の絶縁材料の対向する両くびれ部２ａ２とに、それぞれ粘着する。したがって、端子部は、枠に固定される。【選択図】  図１
2005228504.tif 000002
【特許請求の範囲】
【請求項１】
端子部と、枠と、２枚の粘着シートとから構成され、
前記端子部は、柔軟性を有する絶縁材料と、前記絶縁材料の表面に形成されている複数の導電性膜とから構成され、
前記枠は、絶縁材料から製造され、前記端子部が貫通して収納される収納穴を有し、前記各導電性膜は、それぞれ前記収納穴から突出し、
前記各粘着シートは、前記枠の対向する両表面と、前記端子部の絶縁材料の対向する両表面とに、それぞれ粘着することによって、前記端子部を前記枠に固定することを特徴とする両面接続用コネクタ。
【請求項２】
前記端子部は複数設けられ、前記枠は前記各端子部をそれぞれ収納する複数の収納穴を有することを特徴とする請求項１記載の両面接続用コネクタ。
【請求項３】
前記端子部を前記枠の収納穴に仮固定するために、前記端子部における導電性膜が形成されていない絶縁材料の表面に突起が設けられていることを特徴とする請求項１記載の両面接続用コネクタ。
【請求項４】
前記端子部を前記枠の収納穴に収納するときに、前記各導電性膜が接触する前記収納穴の部分に面取りが設けられていることを特徴とする請求項１記載の両面接続用コネクタ。
【発明の詳細な説明】
【技術分野】
【０００１】
本発明は、２枚のプリント配線基板等の間に介在して接続する両面接続用コネクタに関する。
【背景技術】
【０００２】
第１の従来の技術として円柱コネクタについて説明する（例えば、特許文献１参照。）。
【０００３】
円柱コネクタは、図６に示されるように、円柱形状の絶縁性のクッション材１１の周面に接着剤層１２を介して絶縁性のゴムシート１３が貼付され、ゴムシート１３の外周面にループ状の複数の金属細線１４が、等ピッチで、かつ、クッション材１１の軸線方向に対して直交するように配列されることによって構成される。
【０００４】
第２の従来の技術として導電コネクタについて説明する（例えば、特許文献２参照。）。
【０００５】
導電コネクタは、図７（Ａ），（Ｂ）にそれぞれ示されるように、形状記憶合金から製造された複数の導電性細線２１が、絶縁性ゴム状弾性体から製造された保持部材２２に貫通して配列されることによって構成される。
【０００６】
【特許文献１】特開平１１−９７１２５号公報（第２頁第２欄第３５行−第４３行、図１）
【特許文献２】特開２００１−１２６７８７号公報（第２頁第２欄第５０行−第３頁第３欄第９行、図１）
【発明の開示】
【発明が解決しようとする課題】
【０００７】
第１の従来の技術の円柱コネクタは、枠に固定する必要がある。しかし、ゴムのような柔らかい成形品は、従来のコネクタの組立に常用されている圧入等の手段では、固定することができない。
【０００８】
第２の従来の技術の導電コネクタは、複数の導電性細線と保持部材とから構成される一体成形構造であるので、応力−歪特性が固くなり易い。また、複数の導電性細線のうち１芯でも破損すると、破損した１芯のみの修繕は困難である。
【０００９】
そこで、本発明は、前記両従来のコネクタの欠点を改良し、端子部を枠に圧入手段によって簡便に固定することができ、また、応力−歪特性が良好で、更に、端子部の一部が破損しても、破損した一部のみの修繕が容易な両面接続用コネクタを提供しようとするものである。
【課題を解決するための手段】
【００１０】
本発明は、前記課題を解決するため、次の手段を採用する。
【００１１】
１．端子部と、枠と、２枚の粘着シートとから構成され、前記端子部は、柔軟性を有する絶縁材料と、前記絶縁材料の表面に形成されている複数の導電性膜とから構成され、前記枠は、絶縁材料から製造され、前記端子部が貫通して収納される収納穴を有し、前記各導電性膜は、それぞれ前記収納穴から突出し、前記各粘着シートは、前記枠の対向する両表面と、前記端子部の絶縁材料の対向する両表面とに、それぞれ粘着することによって、前記端子部を前記枠に固定する両面接続用コネクタ。
【００１２】
２．前記端子部は複数設けられ、前記枠は前記各端子部をそれぞれ収納する複数の収納穴を有する前記１記載の両面接続用コネクタ。
【００１３】
３．前記端子部を前記枠の収納穴に仮固定するために、前記端子部における導電性膜が形成されていない絶縁材料の表面に突起が設けられている前記１記載の両面接続用コネクタ。
【００１４】
４．前記端子部を前記枠の収納穴に収納するときに、前記各導電性膜が接触する前記収納穴の部分に面取りが設けられている前記１記載の両面接続用コネクタ。
【発明の効果】
【００１５】
明細書の説明から明らかなように、本発明は、次の効果を奏する。
【００１６】
１．端子部を枠の収納穴に圧入手段によって簡便に固定することができる。
【００１７】
２．端子部は、柔軟性を有する絶縁材料と、絶縁材料の表面に形成されている複数の導電性膜とから単純に構成されているので、端子部の両側に圧力がかかったときに生じる応力−歪特性が良好である。
【００１８】
３．端子部の一部が破損しても、破損した一部のみを容易に修繕することができる。
【００１９】
４．構造が簡素で部品点数が少なく、組立分解が簡易で、コストが安価である。
【発明を実施するための最良の形態】
【００２０】
本発明の一実施例の両面接続用コネクタについて説明する。
【実施例１】
【００２１】
本発明の実施例１について図１〜図５を参照して説明する。
【００２２】
図１は、両面接続用コネクタの部品と組み立てられた状態の斜視図である。両面接続用コネクタは、枠１と、枠１の中央に設けられた２つの収納穴１ａにそれぞれ収納される端子部２と、枠１の表裏両面にそれぞれ貼付される片面粘着テープ３，４とから構成される。
【００２３】
枠１は、合成樹脂材料から長方形の板状に製造される。枠１の中央には、２つの長方形の収納穴１ａが平行に貫通して設けられている。枠１の表面の対角の２隅には、プリント配線基板用の位置決めボス１ｂが突出して形成されている。
【００２４】
端子部２は、ゴムやゲル等の柔軟性の高い絶縁材料２ａと、絶縁材料２ａに等間隔で形成された複数の導電性膜２ｂとから構成される。導電性膜２ｂは、スパッタ等の手段によって設けられる。絶縁材料２ａにおける導電性膜２ｂが形成されていない面の長さ方向の両側付近に、図２に示されるように、突起２ａ１が設けられる。
【００２５】
片面粘着テープ３，４は、枠１の表裏両面と合同の形状に形成され、片面粘着テープ３，４には、２つの端子部２の複数の導電性膜２ｂがそれぞれ突出できるように、複数の長方形穴３ａ，４ａが打抜き加工によって設けられる。また、片面粘着テープ３の対角の２隅には、円形穴３ｂが打抜き加工によって設けられる。
【００２６】
端子部２を枠１に固定する方法について図３〜図５を参照して説明する。
【００２７】
まず、図３に示されるように、端子部２を枠１の収納穴１ａに矢印方向に挿入する。すると、この端子部２は、突起２ａ１が収納穴１ａの内面に圧接することによって、同図の右側に示されている端子部２と同様に枠１に仮固定される。挿入に際して、各導電性膜２ｂの破損を防止するために、各収納穴１ａにおける各導電性膜２ｂに対向する面に面取り１ｃを形成する。
【００２８】
次に、図４に示されるように、片面粘着テープ３，４を、それぞれ矢印方向に枠１の表裏両面に貼付する。すると、両面接続用コネクタは、図５に示される状態に至る。この状態では、片面粘着テープ３，４が各絶縁材料２ａの各くびれ部２ａ２に粘着するので、各端子部２は枠１に本固定される。
【図面の簡単な説明】
【００２９】
【図１】本発明の実施例１の両面接続用コネクタの部品と組み立てられた状態の斜視図である。
【図２】同両面接続用コネクタの端子部の諸図であり、（Ａ）は背面図、（Ｂ）は平面図、（Ｃ）は正面図、（Ｄ）は側面図を、それぞれ示す。
【図３】同両面接続用コネクタの枠に同端子部が収納される途中の状態と収納された状態の断面図である。
【図４】同両面接続用コネクタの同端子部と同枠の表裏両面に片面粘着テープが貼付される前の状態の断面図である。
【図５】同両面接続用コネクタの断面図である。
【図６】第１の従来の技術の円柱コネクタであり、（Ａ）は斜視図、（Ｂ）は断面図を、それぞれ示す。
【図７】第２の従来の技術の導電コネクタの斜視図であり、（Ａ）は導電性細線が単列のもの、（Ｂ）は導電性細線が２列のものを、それぞれ示す。
【符号の説明】
【００３０】
１  枠
１ａ  収納穴
１ｂ  位置決めボス
１ｃ  面取り
２  端子部
２ａ  絶縁材料
２ａ１  突起
２ａ２  くびれ部
２ｂ  導電性膜
３  片面粘着テープ
３ａ  長方形穴
３ｂ  円形穴
４  片面粘着テープ
４ａ  長方形穴
【図１】
2005228504.tif 000003
【図２】
2005228504.tif 000004
【図３】
2005228504.tif 000005
【図４】
2005228504.tif 000006
【図５】
2005228504.tif 000007
【図６】
2005228504.tif 000008
【図７】
2005228504.tif 000009